(57)【要約】【課題】装着容易性に優れるパッドタイプ吸収性物品を提供する。【解決手段】上記課題は、前後方向ＬＤの中間に、厚み方向の全体が前後方向ＬＤにＺ折りされたＺ折り部分１０を有しており、Ｚ折り部分１０における、表側に位置する第１部分１１、裏側に位置する第２部分１２、及びこれら第１部分１１及び第２部分１２の間に位置する第３部分１３のうち、第３部分１３と、第１部分１１及び第２部分１２の少なくとも一方とが剥離可能に接合された仮止め部２０を有している、ことを特徴とするパッドタイプ吸収性物品１により解決される。【選択図】図１
2019122560.tif 000002
【特許請求の範囲】
【請求項１】
股間部と、股間部の前側及び後側にそれぞれ延びる前側部分及び後側部分と、
股間部を含む領域に設けられた吸収体と、
前記吸収体の裏側を覆う液不透過性シートと、
前記吸収体の表側を覆う液透過性のトップシートと、
を備えたパッドタイプ吸収性物品において、
前後方向の中間に、厚み方向の全体が前後方向にＺ折りされたＺ折り部分を有しており、
前記Ｚ折り部分における、表側に位置する第１部分、裏側に位置する第２部分、及びこれら第１部分及び第２部分の間に位置する第３部分のうち、前記第３部分と、前記第１部分及び第２部分の少なくとも一方とが剥離可能に接合された仮止め部を有している、
ことを特徴とするパッドタイプ吸収性物品。
【請求項２】
前記吸収体よりも側方に延び出た、前記吸収体のないサイドフラップ部を有しており、
前記Ｚ折り部分における前記サイドフラップ部が重なる部分にのみ前記仮止め部を有している、
請求項１記載のパッドタイプ吸収性物品。
【請求項３】
前記Ｚ折り部分の前後方向の寸法は、前記仮止め部を剥離した状態における製品全長の０．０７倍以上０．１６倍以下である、
請求項１又は２記載のパッドタイプ吸収性物品。
【請求項４】
前記吸収体は、股間部を含む前後方向の中間に、その前後方向の両側よりも幅の狭い括れ部を有しており、
前記Ｚ折り部分の少なくとも一部は前記括れ部と重なる位置に設けられている、
請求項１〜３のいずれか１項に記載のパッドタイプ吸収性物品。
【請求項５】
前記Ｚ折り部分は、前記仮止め部を剥離する前の状態における前後方向の中央より前側に位置している、
請求項１〜４のいずれか１項に記載のパッドタイプ吸収性物品。
【請求項６】
前記Ｚ折り部分は、前記第１部分と前記第３部分との折り位置が、前記第２部分と前記第３部分との折り位置よりも後側となるように折り返されている、
請求項１〜５のいずれか１項に記載のパッドタイプ吸収性物品。
【請求項７】
前記仮止め部は、前記第３部分と前記第２部分とを剥離可能に接合したものであり、前記第３部分と前記第１部分とが接合されていない、
請求項６記載のパッドタイプ吸収性物品。
【請求項８】
股間部と、股間部の前側及び後側にそれぞれ延びる前側部分及び後側部分と、
股間部を含む領域に設けられた吸収体と、
前記吸収体の裏側を覆う液不透過性シートと、
前記吸収体の表側を覆う液透過性のトップシートと、
を備えたパッドタイプ吸収性物品において、
前記股間部に、厚み方向の全体が前後方向にＺ折りされたＺ折り部分を有しており、
前記Ｚ折り部分における、表側に位置する第１部分、裏側に位置する第２部分、及びこれら第１部分及び第２部分の間に位置する第３部分のうち、前記第３部分と、前記第１部分及び第２部分の少なくとも一方とが接合された接合部を有しており、
前記接合部を含む部分を、それ以外の部分から分離するためのミシン目が形成されている、
ことを特徴とするパッドタイプ吸収性物品。
【発明の詳細な説明】
【技術分野】
【０００１】
本発明は、装着容易性を改善したパッドタイプ吸収性物品に関するものである。
【背景技術】
【０００２】
吸収性物品においては、少量排泄時におむつ全体を交換せずに済むように、アウター（使い捨ておむつや下着）の表面にパッドタイプ吸収性物品を敷いて使用することが知られている。このようなパッドタイプ吸収性物品の代表的な例は、パッドタイプの使い捨ておむつ（例えば特許文献１、２参照）や、生理用ナプキンがある。
【０００３】
このようなパッドタイプ吸収性物品は、身体とアウターとの間に差し込むようにして装着を行うことが多い。しかし、パッドタイプ吸収性物品はほぼ平坦で長く、形状維持性も比較的に低いため、装着作業の際、前後方向の中間で前後方向に折れ曲がりやすく、適切な装着状態とするのに困難を伴うことがある。
【０００４】
しかも、装着者がパッドタイプ吸収性物品の装着作業を自分で行わない場合、装着の際に、装着者の臀部とアウターとの間にパッドタイプ吸収性物品を差し込むために、一方の手で装着者の身体を押さえつつ、他方の手だけで作業する必要があり、この点も装着作業を困難にする一因となっている。
【０００５】
さらに、装着者が要介護者や低出生体重児のように、パッドタイプ吸収性物品の装着のために身体を動かすことが困難な場合には、装着作業における装着者の身体の負担を増加させないために、上述のような困難な作業を迅速かつ正確に行う必要も生じる。特に、低出生体重児にパッドタイプ吸収性物品の装着を行う場合、保育器内という狭い空間での装着作業が必要となり、装着容易性の改善が望まれる。
【先行技術文献】
【特許文献】
【０００６】
【特許文献１】特開２００８−１３６６２６号公報
【特許文献２】特開特開２０１５−０６６３３８号公報
【発明の概要】
【発明が解決しようとする課題】
【０００７】
そこで、本発明の主たる課題は、装着容易性に優れるパッドタイプ吸収性物品を提供することにある。
【課題を解決するための手段】
【０００８】
上記課題を解決したパッドタイプ吸収性物品は以下のとおりである。
＜第１の態様＞
股間部と、股間部の前側及び後側にそれぞれ延びる前側部分及び後側部分と、
股間部を含む領域に設けられた吸収体と、
前記吸収体の裏側を覆う液不透過性シートと、
前記吸収体の表側を覆う液透過性のトップシートと、
を備えたパッドタイプ吸収性物品において、
前後方向の中間に、厚み方向の全体が前後方向にＺ折りされたＺ折り部分を有しており、
前記Ｚ折り部分における、表側に位置する第１部分、裏側に位置する第２部分、及びこれら第１部分及び第２部分の間に位置する第３部分のうち、前記第３部分と、前記第１部分及び第２部分の少なくとも一方とが剥離可能に接合された仮止め部を有している、
ことを特徴とするパッドタイプ吸収性物品。
【０００９】
（作用効果）
本パッドタイプ吸収性物品では、装着に際して、仮止め部を剥離せずに使用時よりも全長が短い状態で身体とアウターとの間に差し込むことができるため、より折れ曲がりにくい状態での作業が可能となる。そして、パッドタイプ吸収性物品を所望の位置に合わせた後は、仮止め部を剥離するとともにＺ折り部分を展開し、製品長を伸ばすことにより使用状態に変化させることができる。また、Ｚ折り部分は３つの部分が重なる高剛性の部分であり、パッドタイプ吸収性物品の変形を防止する補強部として機能するため、仮止め部の剥離前におけるパッドタイプ吸収性物品の折れ曲がり防止性がさらに高いものとなる。そして、このような折れ曲がり抑制作用により、装着作業が容易となり、円滑な装着作業が可能となる。
なお、Ｚ折り部分は、平坦なパッドタイプ使い捨ておむつがＺ折り（外三つ折り）され三層になった部分を意味する。
【００１０】
＜第２の態様＞
前記吸収体よりも側方に延び出た、前記吸収体のないサイドフラップ部を有しており、
前記Ｚ折り部分における前記サイドフラップ部が重なる部分にのみ前記仮止め部を有している、
第１の態様のパッドタイプ吸収性物品。
【００１１】
（作用効果）
パッドタイプ吸収性物品では上述のようなサイドフラップ部を有するものがある。この場合、吸収体を有する部分は幅方向の中間に位置し、厚みがあるため肌に触れやすく、サイドフラップ部は肌に触れにくい。このため、仮止め部をサイドフラップ部が重なる部分にのみ設けることで、仮止め部の剥離痕跡が肌に触れることによる装着感の悪化を軽減することができる。
【００１２】
＜第３の態様＞
前記Ｚ折り部分の前後方向の寸法は、前記仮止め部を剥離した状態における製品全長の０．０７倍以上０．１６倍以下である、
第１又は２の態様のパッドタイプ吸収性物品。
【００１３】
（作用効果）
Ｚ折り部分の前後方向の寸法は特に限定されないが、通常の場合、本態様の範囲内であると好ましい。
【００１４】
＜第４の態様＞
前記吸収体は、股間部を含む前後方向の中間に、その前後方向の両側よりも幅の狭い括れ部を有しており、
前記Ｚ折り部分の少なくとも一部は前記括れ部と重なる位置に設けられている、
第１〜３のいずれか１つの態様のパッドタイプ吸収性物品。
【００１５】
（作用効果）
パッドタイプ吸収性物品においては、吸収体の存在部分の剛性が相対的に高い。このため、吸収体には股間部を含む前後方向の中間に括れ部を設け、脚周りに対するフィット性を向上させることが行われている。しかし、このような括れ部を設けると、装着作業の際、吸収性物品が前後方向の中間で前後方向に折れ曲がりやすくなる。よって、吸収体が括れ部を有する場合、吸収体における括れ部と重なる位置に、Ｚ折り部分を設けることが望ましい。
【００１６】
＜第５の態様＞
前記Ｚ折り部分は、前記仮止め部を剥離する前の状態における前後方向の中央より前側に位置している、
第１〜４のいずれか１つの態様のパッドタイプ吸収性物品。
【００１７】
（作用効果）
パッドタイプ吸収性物品を使用する場合、パッドタイプ吸収性物品の前側を手で持ち、身体の前側から身体とアウターとの間に差し込むことが多い。この場合、Ｚ折り部分がパッドタイプ吸収性物品の後側に位置していると、着用者の身体の下にＺ折り部分が配置されるため、仮止め部の剥離作業が困難となる。よって、Ｚ折り部分は仮止め部を剥離する前の状態における前後方向の中央より前側に位置していることが好ましい。
【００１８】
＜第６の態様＞
前記Ｚ折り部分は、前記第１部分と前記第３部分との折り位置が、前記第２部分と前記第３部分との折り位置よりも後側となるように折り返されている、
第１〜５のいずれか１つの態様のパッドタイプ吸収性物品。
【００１９】
（作用効果）
本態様によれば、パッドタイプ吸収性物品を身体とアウターとの間に差し込んだ後、パッドタイプ吸収性物品の後端部を後方に引っ張ると、Ｚ折り部分を展開する方向に力が加わるため、一つの動作で仮止め部の剥離及びＺ折り部分の展開を行うことができる。
【００２０】
＜第７の態様＞
前記仮止め部は、前記第３部分と前記第２部分とを剥離可能に接合したものであり、前記第３部分と前記第１部分とが接合されていない、
第６の態様のパッドタイプ吸収性物品。
【００２１】
（作用効果）
本態様では、第１部分と第２部分とが接合されていないため、パッドタイプ吸収性物品の後端部を後方に引っ張ると、第２部分が前方に引っ張られることにより第２部分が捲れるように第３部分から剥離され、Ｚ折り部分が展開される。よって、仮止め部の接合層数が少ないことにより剥離力が少なくて済むだけでなく、引張力の方向、剥離の方向（捲りの方向）、及びＺ折り部分の展開方向が一致するため、特に仮止め部の剥離作業及び展開作業が容易となる。また、仮止め部の接合層数が少ないため、製造が容易となる。
【００２２】
＜第８の態様＞
股間部と、股間部の前側及び後側にそれぞれ延びる前側部分及び後側部分と、
股間部を含む領域に設けられた吸収体と、
前記吸収体の裏側を覆う液不透過性シートと、
前記吸収体の表側を覆う液透過性のトップシートと、
を備えたパッドタイプ吸収性物品において、
前記股間部に、厚み方向の全体が前後方向にＺ折りされたＺ折り部分を有しており、
前記Ｚ折り部分における、表側に位置する第１部分、裏側に位置する第２部分、及びこれら第１部分及び第２部分の間に位置する第３部分のうち、前記第３部分と、前記第１部分及び第２部分の少なくとも一方とが接合された接合部を有しており、
前記接合部を含む部分を、それ以外の部分から分離するためのミシン目が形成されている、
ことを特徴とするパッドタイプ吸収性物品。
【００２３】
（作用効果）
本パッドタイプ吸収性物品では、装着に際して、使用時よりも短い全長で身体とアウターとの間に差し込むことができるため、より折れ曲がりにくい状態での作業が可能となる。そして、パッドタイプ吸収性物品を所望の位置に合わせた後は、ミシン目を切り離して接合部を含む部分を分離するとともにＺ折り部分を展開し、製品長を伸ばすことにより使用状態に変化させることができる。また、Ｚ折り部分は３つの部分が重なる高剛性の部分であり、パッドタイプ吸収性物品の変形を防止する補強部として機能するため、仮止め部の剥離前におけるパッドタイプ吸収性物品の折れ曲がり防止性がさらに高いものとなる。そして、このような折れ曲がり抑制作用により、装着作業が容易となり、円滑な装着作業が可能となる。なお、Ｚ折り部分は、平坦なパッドタイプ使い捨ておむつがＺ折り（外三つ折り）され三層になった部分を意味する。
【発明の効果】
【００２４】
以上のとおり本発明によれば、装着容易性に優れるようになる等の利点がもたらされる。
【図面の簡単な説明】
【００２５】
【図１】仮止め部を剥離する前のパッドタイプ吸収性物品を示す平面図である。
【図２】図１のＢ−Ｂ断面図である。
【図３】図１のＡ−Ａ断面図である。
【図４】図１のＣ−Ｃ断面図である。
【図５】仮止め部を剥離した後のパッドタイプ吸収性物品を示す平面図である。
【図６】図５のＢ−Ｂ断面図である。
【図７】吸収性物品の装着作業を概略的に示す斜視図である。
【図８】吸収性物品の装着作業を概略的に示す斜視図である。
【図９】接合部を剥離する前のパッドタイプ吸収性物品を示す平面図である。
【図１０】接合部を剥離した後のパッドタイプ吸収性物品を示す平面図である。
【図１１】仮止め部を剥離する前のパッドタイプ吸収性物品を示す平面図である。
【発明を実施するための形態】
【００２６】
以下、パッドタイプ吸収性物品について添付図面を参照しながら詳説する。
図１〜図６に示されるパッドタイプ吸収性物品１は、股間部Ｃと、股間部Ｃの前側及び後側にそれぞれ延びる前側部分Ｆ及び後側部分Ｂと、股間部Ｃを含む領域に設けられた吸収体４と、吸収体４の裏側を覆う液不透過性シート３と、吸収体４の表側を覆う液透過性のトップシート２とを備えている。股間部Ｃは使用時に身体１００の股間に位置する部分を意味し、製品によって、物品の前後方向ＬＤの中央に位置していたり、前側に位置していたりするものである。物品の前後方向ＬＤの中間あるいは吸収体４の前後方向ＬＤの中間に幅の狭いくびれ部分を有する場合は、いずれか狭い方の前後方向ＬＤの範囲を意味する。また、断面図における点模様部分はその表側及び裏側に位置する各構成部材を接合する接合手段としての接着剤を示しており、ホットメルト接着剤のベタ、ビード、カーテン、サミット若しくはスパイラル塗布、又はパターンコート（凸版方式でのホットメルト接着剤の転写）などにより塗布されるものである。ホットメルト接着剤としては、例えばＥＶＡ系、粘着ゴム系（エラストマー系）、オレフィン系、ポリエステル・ポリアミド系などの種類のものが存在するが、特に限定無く使用できる。各構成部材を接合する接合手段としてはヒートシールや超音波シール等の素材溶着による手段を用いることもできる。
【００２７】
パッドタイプ吸収性物品１の形状は特に限定されず、例えば図示例のように、前後方向ＬＤに長い長方形を基本として、角を円弧状にトリミングした形状としたり、股間部Ｃの両側縁が脚周りに沿う曲線状をなしている形状としたりすることができる。
【００２８】
パッドタイプ吸収性物品１の寸法は、例えば後述する仮止め部２０を剥離した状態の全長Ｙ１は１００〜３００ｍｍ程度、全幅Ｘは５０〜１５０ｍｍ程度、全長Ｙ１は全幅Ｘの１.５〜３.０倍程度とすることができる。パッドタイプ吸収性物品１の吸収体４を有する部分における厚みは２〜８ｍｍ程度とすることができる。
【００２９】
各部の素材は公知のものを適宜用いることができる。吸収体４としては、パルプ繊維の積繊体、セルロースアセテート等のフィラメントの集合体、あるいは不織布７を基本とし、必要に応じて高吸収性ポリマーを混合、固着等してなるものを用いることができる。低出生体重児用等の薄型の製品では、厚みを薄くするため吸収体４はパルプ繊維のエアレイド不織布とすることが好ましい。吸収体４がエアレイド不織布の場合、繊維目付けは８０〜１５０ｇ／ｍ2程度であるのが好ましく、高吸収性ポリマーの目付けは９０〜１６０ｇ／ｍ2程度であるのが好ましい。
【００３０】
吸収体４の形状としては、ほぼ長方形とするほか、図５に示す例のように、股間部Ｃを含む前後方向ＬＤの中間に、その前後方向ＬＤの両側よりも幅の狭い括れ部４ｎを有していると、脚周りに対するフィット性が良好となる。
【００３１】
吸収体４は、図示しない包装シートにより包装することができる。包装シートとしては、ティッシュペーパ、特にクレープ紙、不織布等を用いることができる。包装シートによる包装構造は公知の構造を特に限定なく適用することができる。
【００３２】
トップシート２は、液を透過する性質を有するものであり、例えば、有孔又は無孔の不織布や、多孔性プラスチックシートなどを例示することができる。不織布は特に限定されるものではない。例えば、不織布の構成繊維としては、ポリエチレン又はポリプロピレン等のオレフィン系、ポリエステル系、ポリアミド系等の合成繊維（単成分繊維の他、芯鞘等の複合繊維も含む）の他、レーヨンやキュプラ等の再生繊維、綿等の天然繊維等、特に限定なく選択することができ、これらを混合して用いることもできる。不織布の柔軟性を高めるために、構成繊維を捲縮繊維とするのは好ましい。また、不織布の構成繊維は、親水性繊維（親水化剤により親水性となった疎水性繊維を含む）であっても、疎水性繊維若しくは撥水性繊維（撥水剤により撥水性となった撥水性繊維を含む）であってもよい。また、不織布は一般に繊維の長さや、シート形成方法、繊維結合方法、積層構造により、短繊維不織布、長繊維不織布、スパンボンド不織布、メルトブローン不織布、スパンレース不織布、サーマルボンド（エアスルー）不織布、ニードルパンチ不織布、ポイントボンド不織布、積層不織布（スパンボンド層間にメルトブローン層を挟んだＳＭＳ不織布、ＳＭＭＳ不織布等）等に分類されるが、これらのどの不織布も、トップシート２に用いることができる。トップシート２に不織布を用いる場合、その目付けや厚みは特に限定されるものではないが、通常の場合、目付けは１０〜３５ｇ／ｍ2程度、厚みは１.０〜２.５ｍｍ程度のものを用いることができる。
【００３３】
トップシート２は、図示例のように吸収体４の前後左右にはみださせるほか、吸収体４の両側縁で吸収体４の裏側に回り込み、吸収体４の両側部下まで延在させることもできる。
【００３４】
液不透過性シート３の素材は、特に限定されるものではないが、例えば、ポリエチレンやポリプロピレン等のオレフィン系樹脂等からなるプラスチックフィルムや、不織布の表面にプラスチックフィルムを設けたラミネート不織布、プラスチックフィルムに不織布７等を重ねて接合した積層シートなどを例示することができる。液不透過性シート３には、ムレ防止の観点から好まれて使用されている液不透過性かつ透湿性を有する素材を用いることが好ましい。透湿性を有するプラスチックフィルムとしては、ポリエチレンやポリプロピレン等のオレフィン系樹脂中に無機充填剤を混練して、シートを成形した後、一軸又は二軸方向に延伸して得られた微多孔性プラスチックフィルムが広く用いられている。この他にも、マイクロデニール繊維を用いた不織布、熱や圧力をかけることで繊維の空隙を小さくすることによる防漏性強化、高吸水性樹脂又は疎水性樹脂や撥水剤の塗工といった方法により、プラスチックフィルムを用いずに液不透過性としたシートも、液不透過性シート３として用いることができる。
【００３５】
液不透過性シート３は、図示例のように吸収体４の前後左右にはみださせるほか、吸収体４の両側縁で吸収体４の表側に回り込み、吸収体４の両側部上まで延在させることもできる。
【００３６】
図示例では、吸収体４よりも側方に延び出た、吸収体４のないサイドフラップ部５を有しているが、サイドフラップ部５を有しない構造とすることもできる。例えば、図示例におけるトップシート２を吸収体４の両側縁で裏側に折り返すとともに、液不透過性シート３の幅を吸収体４の幅以下とするか、又は液不透過性シート３を吸収体４の両側縁で表側に折り返すことにより、サイドフラップ部５の無い構造とすることができる。
【００３７】
特徴的には、パッドタイプ吸収性物品１の前後方向ＬＤの中間に、厚み方向の全体が前後方向ＬＤにＺ折りされたＺ折り部分１０を有している。また、このＺ折り部分１０は、表側に位置する第１部分１１、裏側に位置する第２部分１２、及びこれら第１部分１１及び第２部分１２の間に位置する第３部分１３を有するとともに、第３部分１３と、第１部分１１及び第２部分１２の少なくとも一方とが剥離可能に接合された仮止め部２０を有している。
【００３８】
仮止め部２０における、第３部分１３と、第１部分１１及び第２部分１２の少なくとも一方との接合は、図４（ａ）に示すように素材溶着（超音波シール又はヒートシール）により行うほか、図４（ｂ）（ｃ）に示すように粘着剤により行うことができる。なお、これらの接合を剥離可能とするために、接合面積を小さくしたり、溶着の程度を弱くしたりすることができる。
【００３９】
本パッドタイプ吸収性物品１は、図１及び図７に示すように、装着に際して、仮止め部２０を剥離せずに使用時よりも全長Ｙ２が短い状態で身体１００とアウター１０１との間に差し込むことができるため、より折れ曲がりにくい状態での作業が可能となる。そして、パッドタイプ吸収性物品１を所望の位置に合わせた後は、仮止め部２０を剥離するとともにＺ折り部分１０を展開し、全長Ｙ１を伸ばすことにより、図５及び図８に示すように使用状態に変化させることができる。また、Ｚ折り部分１０は３つの部分が重なる高剛性の部分であり、パッドタイプ吸収性物品１の変形を防止する補強部として機能するため、仮止め部２０の剥離前におけるパッドタイプ吸収性物品１の折れ曲がり防止性がさらに高いものとなる。そして、このような折れ曲がり抑制作用により、装着作業が容易となり、円滑な装着作業が可能となる。
【００４０】
Ｚ折り部分１０における仮止め部２０の位置は、特に限定されず、吸収体４と重なる部分に設けることもできる。しかし、吸収体４を有する部分は幅方向ＷＤの中間に位置し、厚みがあるため、使用時に仮止め部２０の剥離痕跡２１（溶融固化部分や粘着剤等）が肌に触れることにより装着感が悪化するおそれがある。これに対して、サイドフラップ部５は肌に触れにくい。よって、図示例のように、仮止め部２０をサイドフラップ部５が重なる部分にのみ設けると、仮止め部２０の剥離痕跡が肌に触れることによる装着感の悪化を軽減することができる。また、仮止め部２０は、最小限の大きさで設けることが好ましいため、図示例のようにＺ折り部分１０の一部にのみ設けることが好ましいが、全体にわたり設けることもできる。
【００４１】
また、仮止め部２０は、図１に示す例のように左右対称に配置するほか、図１１に示すように左右非対称に設けることもできる。特に図１１に示す例のように、仮止め部２０を一か所のみ（図示例では片方のサイドフラップ部５にのみ設けている）とすることにより、剥離作業が容易となる。
【００４２】
図示しないが、仮止め部２０を各サイドフラップ部５又は片方のサイドフラップ部５に複数設けることもできるも。ただし、剥離作業の容易性の観点から、仮止め部２０の数は少ないことが好ましい。
【００４３】
Ｚ折り部分１０の前後方向ＬＤの寸法１０ｙは特に限定されないが、通常の場合、仮止め部２０を剥離した状態における製品全長Ｙ１の０．０７倍以上（具体的な寸法としては１０ｍｍ以上）であると、使用時の製品全長Ｙ１の確保と、装着作業時の製品全長Ｙ２の短縮とを両立できるため好ましい。ただし、Ｚ折り部分１０の前後方向ＬＤの寸法１０ｙが長すぎると、パッドタイプ吸収性物品１の前後方向ＬＤの端部を手で持ち、身体１００とアウター１０１との間に差し込む際、手を奥まで入れる必要を生じるため、仮止め部２０を剥離した状態における製品全長Ｙ１の０．１６倍以下であることが好ましい。特に好ましい範囲は、０．０９〜０．１２倍である。なお、図１１は、Ｚ折り部分１０の前後方向ＬＤの寸法１０ｙが図１に示す例よりも格段に長い例を示している。
【００４４】
Ｚ折り部分１０の前後方向ＬＤの位置は適宜定めることができる。通常の場合、仮止め部２０を接合した状態で、パッドタイプ吸収性物品１を前後方向ＬＤに三等分したときの中央の領域にＺ折り部分１０の一部又は全部が重なっていることが好ましい。Ｚ折り部分１０は図示例のように前後方向ＬＤの一か所に設けるほか、図示しないが前後方向ＬＤに間隔を空けて又は空けないで複数設けることもできる。
【００４５】
また、図１に示す例のように、吸収体４に括れ部４ｎを設け、脚周りに対するフィット性を向上させる場合には、装着作業の際、パッドタイプ吸収性物品１が前後方向ＬＤの中間で前後方向ＬＤに折れ曲がりやすくなる。よって、吸収体４が括れ部４ｎを有する場合、Ｚ折り部分１０の少なくとも一部、特に全部が括れ部４ｎと重なる位置に設けられているのは好ましい。
【００４６】
また、パッドタイプ吸収性物品１を使用する場合、パッドタイプ吸収性物品１の前側を手で持ち、身体１００の前側から身体１００とアウター１０１との間に差し込むことが多い。この場合、Ｚ折り部分１０がパッドタイプ吸収性物品１の後側に位置していると、着用者の身体の下にＺ折り部分１０が配置されるため、仮止め部２０の剥離作業が困難となる。よって、Ｚ折り部分１０は図示例のように仮止め部２０を剥離する前の状態における前後方向ＬＤの中央より前側に位置しているのも好ましい。なお、「前側」とは、前後の区別がない前後対称形状のものでは前後方向ＬＤのいずれか一方を意味する。
【００４７】
Ｚ折り部分１０は、第１部分１１と第３部分１３との折り位置が、第２部分１２と第３部分１３との折り位置よりも前側となるように折り返されていてもよい。しかし、図示例のＺ折り部分１０のように、第１部分１１と第３部分１３との折り位置が、第２部分１２と第３部分１３との折り位置よりも後側となるように折り返されていると好ましい。すなわち、後者の場合、パッドタイプ吸収性物品１を身体１００とアウター１０１との間に差し込んだ後、パッドタイプ吸収性物品１の後端部を後方に引っ張ると、Ｚ折り部分１０を展開する方向に力が加わるため、一つの動作で仮止め部２０の剥離及びＺ折り部分１０の展開を行うことができる。
【００４８】
さらにこの場合、図４（ｃ）に示すように、仮止め部２０は第３部分１３と前記第２部分１２とを剥離可能に接合したものであり、第３部分１３と第１部分１１とが接合されていないとより好ましい。すなわち、第１部分１１と第２部分１２とが接合されていないため、パッドタイプ吸収性物品１の後端部を後方に引っ張ると、第２部分１２が前方に引っ張られることにより第２部分１２が捲れるように第３部分１３から剥離され、Ｚ折り部分１０が展開される。よって、仮止め部２０の接合層数が少ないことにより剥離力が少なくて済むだけでなく、引張力の方向、剥離の方向（捲りの方向）、及びＺ折り部分１０の展開方向が一致するため、特に仮止め部２０の剥離作業及び展開作業が容易となる。また、仮止め部２０の接合層数が少ないため、製造が容易となる。
【００４９】
他方、上記例のパッドタイプ吸収性物品１は、仮止め部２０の剥離により使用状態の全長に展開するものであるが、図９に示すように、剥離しない接合部３０を仮止め部２０に代えて設け、この接合部３０を含む部分を、それ以外の部分から分離するためのミシン目３１を形成したものも提案される。
【００５０】
本接合部３０における、第３部分１３と、第１部分１１及び第２部分１２の少なくとも一方との接合は、図４（ａ）に示すように素材溶着（超音波シール又はヒートシール）により行うほか、図４（ｂ）（ｃ）に示すようにホットメルト接着剤により行うことができる。なお、本例における接合部３０は剥離可能であっても、剥離しない接合部３０であってもよい。
【００５１】
本パッドタイプ吸収性物品１においても、装着に際して、使用時よりも短い全長で身体１００とアウター１０１との間に差し込むことができるため、より折れ曲がりにくい状態での作業が可能となる。そして、パッドタイプ吸収性物品１を所望の位置に合わせた後は、図１０に示すように、ミシン目３１を切り離して接合部３０を含む部分３２を分離するとともにＺ折り部分１０を展開し、製品長を伸ばすことにより使用状態に変化させることができる。また、Ｚ折り部分１０は３つの部分が重なる高剛性の部分であり、パッドタイプ吸収性物品１の変形を防止する補強部として機能するため、仮止め部２０の剥離前におけるパッドタイプ吸収性物品１の折れ曲がり防止性がさらに高いものとなる。そして、このような折れ曲がり抑制作用により、装着作業が容易となり、円滑な装着作業が可能となる。
【００５２】
＜明細書中の用語の説明＞
明細書中の以下の用語は、明細書中に特に記載が無い限り、以下の意味を有するものである。
【００５３】
・「前後（縦）方向」とは腹側（前側）と背側（後側）を結ぶ方向を意味し、「幅方向」とは前後方向と直交する方向（左右方向）を意味する。
【００５４】
・「表側」とはパッドタイプ吸収性物品を着用した際に着用者の肌に近い方を意味し、「裏側」とはパッドタイプ吸収性物品を着用した際に着用者の肌から遠い方を意味する。
【００５５】
・「表面」とは部材の、パンツタイプ使い捨ておむつを着用した際に着用者の肌に近い方の面を意味し、「裏面」とはパンツタイプ使い捨ておむつを着用した際に着用者の肌から遠い方の面を意味する。
【００５６】
・「全光線透過率」は、全光線透過率はＪＩＳ−Ｋ７１０５に準じて測定される値を意味する。
【００５７】
・「伸長率」は、自然長を１００％としたときの値を意味する。
【００５８】
・「ゲル強度」は次のようにして測定されるものである。人工尿（尿素：２ｗｔ％、塩化ナトリウム：０．８ｗｔ％、塩化カルシウム二水和物：０．０３ｗｔ％、硫酸マグネシウム七水和物：０．０８ｗｔ％、及びイオン交換水：９７．０９ｗｔ％を混合したもの）４９．０ｇに、高吸収性ポリマーを１．０ｇ加え、スターラーで攪拌させる。生成したゲルを４０℃×６０％ＲＨの恒温恒湿槽内に３時間放置したあと常温にもどし、カードメーター（Ｉ．ｔｅｃｈｎｏ  Ｅｎｇｉｎｅｅｒｉｎｇ社製：Ｃｕｒｄｍｅｔｅｒ−ＭＡＸ  ＭＥ−５００）でゲル強度を測定する。
【００５９】
・「目付け」は次のようにして測定されるものである。試料又は試験片を予備乾燥した後、標準状態（試験場所は、温度２３±１℃、相対湿度５０±２％）の試験室又は装置内に放置し、恒量になった状態にする。予備乾燥は、試料又は試験片を温度１００℃の環境で恒量にすることをいう。なお、公定水分率が０．０％の繊維については、予備乾燥を行わなくてもよい。恒量になった状態の試験片から、試料採取用の型板(１００ｍｍ×１００ｍｍ)を使用し、１００ｍｍ×１００ｍｍの寸法の試料を切り取る。試料の重量を測定し、１０倍して１平米あたりの重さを算出し、目付けとする。
【００６０】
・「厚み」は、自動厚み測定器（ＫＥＳ−Ｇ５  ハンディ圧縮計測プログラム）を用い、荷重：０．０９８Ｎ／ｃｍ2、及び加圧面積：２ｃｍ2の条件下で自動測定する。
【００６１】
・吸水量は、ＪＩＳ  Ｋ７２２３−１９９６「高吸水性樹脂の吸水量試験方法」によって測定する。
【００６２】
・吸水速度は、２ｇの高吸収性ポリマー及び５０ｇの生理食塩水を使用して、ＪＩＳ  Ｋ７２２４‐１９９６「高吸水性樹脂の吸水速度試験法」を行ったときの「終点までの時間」とする。
【００６３】
・「展開状態」とは、収縮や弛み無く平坦に展開した状態を意味する。
【００６４】
・各部の寸法は、特に記載が無い限り、自然長状態ではなく展開状態における寸法を意味する。
【００６５】
・試験や測定における環境条件についての記載が無い場合、その試験や測定は、標準状態（試験場所は、温度２３±１℃、相対湿度５０±２％）の試験室又は装置内で行うものとする。
【産業上の利用可能性】
【００６６】
本発明は、低出生体重児への補助的使用に適しているが、他の用途のパッドタイプ吸収性物品としても利用できるものである。
【符号の説明】
【００６７】
１…パッドタイプ吸収性物品、１０…Ｚ折り部分、１００…身体、１０１…アウター、１１…第１部分、１２…第２部分、１３…第３部分、２…トップシート、２０…仮止め部、３…液不透過性シート、３０…接合部、３１…ミシン目、４…吸収体、５…サイドフラップ部、７…不織布、Ｂ…後側部分、Ｃ…股間部、Ｆ…前側部分、ＬＤ…前後方向、ＷＤ…幅方向。
【図１】
2019122560.tif 000003
【図２】
2019122560.tif 000004
【図３】
2019122560.tif 000005
【図４】
2019122560.tif 000006
【図５】
2019122560.tif 000007
【図６】
2019122560.tif 000008
【図７】
2019122560.tif 000009
【図８】
2019122560.tif 000010
【図９】
2019122560.tif 000011
【図１０】
2019122560.tif 000012
【図１１】
2019122560.tif 000013